(57)【要約】      （修正有）【課題】確実な作動と安全な設置が可能な動物用罠装置を提供する。【解決手段】基台と、基台上のワイヤ保持枠スタンドに固定ピンにより基台上方側に回動自在となるよう固定された一対のＵ字状ワイヤ保持枠と、Ｕ字状ワイヤ保持枠内に上下動可能となるよう基台上に保持された踏み板と、上部にＵ字状ワイヤ保持枠側に突出してＵ字状ワイヤ保持枠の動作を規制し、回動によりこの規制を解除することのできるロック爪を備えたロック手段とからなる。踏み板は基端が基台により支持され中央に伸長された４本のアームによって係止されている。【選択図】図１
0003169088.tif 000002
【実用新案登録請求の範囲】
【請求項１】
基台と、回動自在に前記基台上に固定された一対のＵ字状ワイヤ保持枠と、前記Ｕ字状ワイヤ保持枠内において上下動可能となるよう前記基台上に保持された踏み板と、回動により前記一対のＵ字状ワイヤ保持枠を規制及び解除することのできるロック手段とからなる動物捕獲用罠装置において、前記踏み板は基端が前記基台により支持され中央に伸長された４本のアームによって係止されていることを特徴とする動物捕獲用罠装置。
【請求項２】
前記４本のアームは、前記基台の一辺の両隅より伸長され先端部において接続された第１及び第２のアームと、先端が前記第１のアームと揺動自在に接続された第３のアーム、及び先端が第２のアームと揺動自在に接続された第４のアームからなることを特徴とする請求項１記載の動物捕獲用罠装置。
【請求項３】
前記ロック手段は、バネ付ヒンジ、トリガー部及びロック爪とからなり、前記バネ付ヒンジは前記Ｕ字状ワイヤ保持枠の規制を解除する方向に付勢されていることを特徴とする請求項１または２記載の動物捕獲用罠装置。
【請求項４】
前記踏み板にはトリガーピンが設けてあり、このトリガーピンが前記バネ付ヒンジの付勢力に抗して前記ロック手段を押圧することにより、前記ロック爪が前記Ｕ字状ワイヤ保持枠の上方回動を規制することを特徴とする請求項３記載の動物捕獲用罠装置。
【請求項５】
前記ロック手段には、前記それぞれのＵ字状ワイヤ保持枠を下側から押圧する跳ね上げ補助爪が設けられていることを特徴とする請求項１乃至４のいずれかに記載の動物捕獲用罠装置。
【考案の詳細な説明】
【技術分野】
【０００１】  本考案は、猪、鹿等の有害野生動物を捕獲するための罠装置に関する。
【背景技術】
【０００２】  従来から、猪や鹿等の有害野生動物を捕獲するための罠として、踏み板の反動によるワイヤ発射タイプの装置が提案されている。【０００３】  例えば、特許文献１には、踏み板の上面に半円弧状の作動体を互いに対向させて載置し、各作動体の回動端部を枠体の受け桟に載置し、縮小方向に付勢されたループを有するワイヤを各作動体の外周に懸回してリング状に保形した野生動物用罠が開示されている。しかし、この装置では作動体の支点と受け桟との距離が大きいため、踏み板の降下距離が長くならないと作動しにくいという問題点がある。また、ワイヤを設置する際には、安全のため規制ピンを枠体に差し込み、使用する直前にこのピンを抜き取らなければならないので、手間が掛かる。【０００４】  また、特許文献２には、踏み板と半枠状に構成された１対の作動部材と、この作動部材を指示する枠体と、付勢手段によりループ状に保持された捕獲ワイヤとからなる動物捕獲用罠が開示されている。この装置では、枠体に切り欠き縁を設け、この切り欠き縁により作動部材の回動を発生させるため、作動部材の初動速度を向上し確実に動物を捕獲できるとされる。しかしながら、この装置においては、踏み板と作動部材は一体であるが枠体は分離されているため、ワイヤを設置する際に特別な安全装置を取り付けた上で行わなければならない。【０００５】  さらに、特許文献３では、本体台座の内側壁面に跳ね上げストッパーを装着した踏み板を構成する中軸を設け、本体台座に設けた中軸の両端部に装着した跳ね上げスプリングと接合したＵ字アームを本体台座の外側壁面に装着した猪捕獲補助器具が開示されている。しかしながらこの装置では、地面に凹部を形成して設置しなければならないため、表面が柔らかいところではうまく作動ができない可能性がある。また、跳ね上げストッパーの構成が詳しく記述されていないため、羽根部の保持と作動時の解放の応力配分が困難であるという問題点がある。
【特許文献】
【０００６】
【特許文献１】実用新案登録第３１２７８３２号公報
【特許文献２】実用新案登録第３１５４１９５号公報
【特許文献３】実用新案登録第３１６０１５０号公報
【考案の開示】
【考案が解決しようとする課題】
【０００７】  本考案は上記従来技術の問題点に鑑みてなされたものであり、確実な作動と安全な設置が可能な動物用罠装置を提供することを課題とする。
【課題を解決するための手段】
【０００８】  上記課題を解決するため本考案による動物用罠装置は、基台と、回動自在に前記基台上に固定された一対のＵ字状ワイヤ保持枠と、前記Ｕ字状ワイヤ保持枠内において上下動可能となるよう前記基台上に保持された踏み板と、回動により前記一対のＵ字状ワイヤ保持枠を規制及び解除することのできるロック手段とからなる動物捕獲用罠装置において、前記踏み板は基端が前記基台により支持され中央に伸長された４本のアームによって係止されていることを特徴とする。【０００９】  前記４本のアームは、前記基台の一辺の両隅より伸長され先端部において接続された第１及び第２のアームと、先端が前記第１のアームと揺動自在に接続された第３のアーム、及び先端が第２のアームと揺動自在に接続された第４のアームからなることが好適である。【００１０】  また、前記ロック手段は、バネ付ヒンジ、トリガー部及びロック爪とからなり、前記バネ付ヒンジは前記Ｕ字状ワイヤ保持枠の規制を解除する方向に付勢されていることが望ましく、さらに、前記踏み板にはトリガーピンが設けてあり、このトリガーピンが前記バネ付ヒンジの付勢力に抗して前記ロック手段を押圧することにより、前記ロック爪が前記Ｕ字状ワイヤ保持枠の上方回動を規制することが好適である。【００１１】  さらに、前記ロック手段には、前記それぞれのＵ字状ワイヤ保持枠を下側から押圧する跳ね上げ補助爪が設けられていることが好適である。
【考案の効果】
【００１２】  本考案による動物用罠装置は、４本のアームの撓みにより踏み板を上下動させるため、動物が踏み板のどの位置を踏んでも確実に罠装置を作動させることができる。また、本考案による装置は薄型のため、罠の設置場所を選ばない。
【考案を実施するための最良の形態】
【実施例】
【００１３】  以下、図面に基づいて本考案の好適な実施例について説明する。図１に本考案による罠装置の一実施例の底面からの写真を示す。基台１上には、両側にワイヤ保持枠スタンド４が設けられ、一対のＵ字状ワイヤ保持枠２ａ、２ｂの凸部が外側を向くように配置し保持枠固定ピン３により回動自在に保持している。この実施例においては、一対のＵ字状ワイヤ保持枠２ａ、２ｂは全体として長円形をなすよう配置されている。【００１４】  基台１上にはまた、基端が前記基台により揺動可能に支持され中央に伸長された４本のアーム１２ａ、１２ｂ、１２ｃ、１２ｄが配置されている。第１及び第２アーム１２ａ、１２ｂは基台１の同一辺の両隅より伸長され先端部が互いに接続されて、全体としてＶ字型を形成している。一方、基台１の反対側辺の両隅近傍からは第３アーム１２ｃ及び第４アーム１２ｄが伸長され、それぞれ先端の係止部１５において第１アーム１２ａ及び第２アーム１２ｂに接続されている。踏み板１１は、踏み板支持部１３においてこれら４本のアームに接続され、全体として上下に揺動可能に形成されている。この機構は、既知の体重計等の機構を参考にしたものである。【００１５】  図２には、図１に示した実施例を正面上部より見た写真を示す。基台１上のワイヤ保持枠スタンド４と踏み板１１との間には、ロック手段としてのヒンジ２１が配置固定され、トリガー部２３がバネ２２により踏み板１１側に付勢されている。トリガー部２３の上方には２個のロック爪２４ａ、２４ｂが形成され、Ｕ字状ワイヤ保持枠２ａ、２ｂ側に突出する構成となっている。また、トリガー部２３の下方には、跳ね上げ補助爪２５ａ、２５ｂが形成され、やはりＵ字状ワイヤ保持枠２ａ、２ｂ側に突出している。【００１６】  図３は、図２に示した実施例の要部拡大写真である。ロック手段のトリガー部２３をバネ２２の付勢力に抗して起こしながら踏み板１１を持ち上げ、トリガーピン１４をトリガー部２３に当接させるようにする。これによって、トリガー部２３はその位置に保持され、ロック爪２４ａ、２４ｂがＵ字状ワイヤ保持枠２ａ、２ｂ上に突出してこれら枠の上方への回動を規制する。【００１７】  図４は、図２に示した実施例の側面写真である。基台１上にアーム（この図では１２ｂ、１２ｄ）が配置され、さらにその上に踏み板１１が配置されている。左側のトリガー部２３がバネにより付勢された状態では、ロック爪２４ａ、２４ｂはＵ字状ワイヤ保持枠２ａ、２ｂの回動軌道の内側に退避した状態となる。【００１８】  次に、上記実施例の作動について説明する。まず、ロック手段のトリガー部２３をバネ２２の付勢力に抗して起こしながら踏み板１１を持ち上げ、トリガーピン１４をトリガー部２３に当接させるようにする。これによりＵ字状ワイヤ保持枠２ａ、２ｂがロック爪２４ａ、２４ｂによってロックされた状態となる。次にこの罠装置を所望する場所に設置し、Ｕ字状ワイヤ保持枠２ａ、２ｂの周囲に縮小方向に付勢されたループ状捕捉部を有する捕捉ワイヤ（図示してない、市販のものが利用できる）を巡らして保持しておく。この捕捉ワイヤの例としては、例えば特許文献２の図４に示されている。動物がこの装置上に来て踏み板１１を踏むと、トリガーピン１４が下方に移動してトリガー部２３より外れる。これによって、Ｕ字状ワイヤ保持枠２ａ、２ｂは解放され、さらにトリガー部２３下方に配置された跳ね上げ補助爪２５ａ、２５ｂがＵ字状ワイヤ保持枠２ａ、２ｂを押し上げるため、Ｕ字状ワイヤ保持枠２ａ、２ｂが上方に回動し、それによって補足ワイヤが上方に外れ、動物の足に掛かって収縮するため、動物が捕捉できる。
【産業上の利用可能性】
【００１９】  以上説明したように、本考案による動物用罠装置は確実な作動と安全な設置を可能にできるため、有害動物捕獲に極めて有用である。
【図面の簡単な説明】
【００２０】
【図１】本考案の実施例による罠装置を底面から見た写真である。
【図２】図１に示した実施例の正面上方からの写真である。
【図３】図２に示した実施例の要部拡大写真である。
【図４】図２に示した実施例の側面写真である。
【符号の説明】
【００２１】１                  基台
２ａ、２ｂ          Ｕ字状ワイヤ保持枠
３                  保持枠固定ピン
４                  Ｕ字状ワイヤ保持枠スタンド
５                  凸部
１１                踏み板
１２ａ、１２ｂ、１２ｃ、１２ｄ      アーム
１３                踏み板支持部
１４                トリガーピン
１５                係止部
２１                ヒンジ
２２                バネ
２３                トリガー部
２４ａ、２４ｂ      ロック爪
２５ａ、２５ｂ      跳ね上げ補助爪
【図１】
0003169088.tif 000003
【図２】
0003169088.tif 000004
【図３】
0003169088.tif 000005
【図４】
0003169088.tif 000006
【手続補正書】
【提出日】平成23年4月25日(2011.4.25)
【手続補正１】
【補正対象書類名】実用新案登録請求の範囲
【補正対象項目名】請求項１
【補正方法】変更
【補正の内容】
【請求項１】
基台と、前記基台上のワイヤ保持枠スタンドに固定ピンにより前記基台上方側に回動自在となるよう固定された一対のＵ字状ワイヤ保持枠と、前記Ｕ字状ワイヤ保持枠内において上下動可能となるよう前記基台上に保持された踏み板と、上部に前記Ｕ字状ワイヤ保持枠側に突出して前記Ｕ字状ワイヤ保持枠の動作を規制し回動によりこの規制を解除することのできるロック爪を備えたロック手段とからなる動物捕獲用罠装置において、前記踏み板は基端が前記基台により支持され中央に伸長された４本のアームによって係止されていることを特徴とする動物捕獲用罠装置。
【手続補正２】
【補正対象書類名】実用新案登録請求の範囲
【補正対象項目名】請求項３
【補正方法】変更
【補正の内容】
【請求項３】
前記ロック手段は、バネ付ヒンジ、トリガー部及びロック爪とからなり、前記バネ付ヒンジは片側が前記基台に固定され、前記ヒンジの反対側には上部に２個の前記ロック爪を備えたトリガー部が形成され、このトリガー部は前記Ｕ字状ワイヤ保持枠から離れる方向に付勢されていることを特徴とする請求項１または２記載の動物捕獲用罠装置。